(57)【要約】【課題】スキャンした原稿内容の一部を選択して好みのエンボス加工を施して印刷することのできる複写機や転写機等の画像形成装置を提供すること。【解決手段】画像形成装置内にエンボス加工手段９を備えるとともに、該画像形成装置はデータを出力装置を備え、該出力装置にスキャンした原稿の画像を出力させ、出力画像をペン操作や他の選択操作によりエンボス加工したい出力画像の一部を選択して、前記入出力装置からエンボス加工の指示を行うことによって、前記画像形成装置内のエンボス加工手段９においてエンボス加工処理を行わせる。【選択図】図１
2006259443.tif 000002
【特許請求の範囲】
【請求項１】
エンボス加工手段と、原稿画像データを入力する手段と、入力した原稿画像データを表示する手段と、前記表示した原稿画像データからエンボス加工を施す画像データ箇所を選択する手段を備え、選択した箇所にエンボス加工を施した印刷を行うことを特徴とする画像形成装置。
【請求項２】
エンボス加工手段を備え、
原稿画像データを作成する手段と、作成した原稿画像データを表示する手段と、該表示原稿画像データからエンボス加工を施す画像データ箇所を選択する手段を備えた情報処理装置から送信される原稿画像データに基づき、選択した箇所にエンボス加工を施した印刷を行うことを特徴とする画像形成装置。
【請求項３】
原稿画像データを入力する手段と、入力した原稿画像データの表示手段と、エンボス加工手段と、予めエンボス加工用に形成されたエンボス画像データを記憶する記憶手段と、前記記憶手段に記憶された前記エンボス画像データから選択したエンボス画像データと入力された原稿画像データから、選択した箇所にエンボス画像データを備えた印刷用画像データを作成する手段とを備え、
前記作成した印刷用画像データに基づき、選択した箇所にエンボス加工を施した印刷を行うことを特徴とする画像形成装置。
【請求項４】
エンボス加工手段を備え、
原稿画像データを作成する手段と、作成した原稿画像データを表示すると手段と、予めエンボス加工用に形成されたエンボス画像データを記憶する記憶手段と、前記記憶手段に記憶された前記エンボス画像データから選択したエンボス画像データと入力された原稿画像データから、選択した箇所にエンボス画像データを備えた印刷画像データを作成する手段とを備えた情報処理装置から送信される前記印刷画像データに基づき、選択した箇所にエンボス加工を施した印刷を行うことを特徴とする画像形成装置。
【発明の詳細な説明】
【技術分野】
【０００１】
本発明は、エンボス加工手段を備え、選択した箇所にエンボス加工を施した印刷を行うことができる複写機や転写機等の画像形成装置に関する。
【背景技術】
【０００２】
従来から、複写紙全体に対して柄のエンボス加工やシンボルのシンボル加工を行ったり、また一方、特開２００３−２２３０７７号公報に示されるように、複写紙全体にラミネート加工する技術が知られている。
【０００３】
【特許文献１】特開２００３−２２３０７７号公報
【発明の開示】
【発明が解決しようとする課題】
【０００４】
しかし、従来から複写紙や転写紙の一部を選択して好みの形でエンボス加工を施すことは行われて来なかった。
【０００５】
本発明の目的は、スキャンした原稿内容の一部を選択して好みのエンボス加工を施して印刷することのできる複写機や転写機等の画像形成装置を提供することにある。
【課題を解決するための手段】
【０００６】
請求項１は、エンボス加工手段と、原稿画像データを入力する手段と、入力した原稿画像データを表示する手段と、前記表示した原稿画像データからエンボス加工を施す画像データ箇所を選択する手段を備え、選択した箇所にエンボス加工を施した画像を形成することを特徴とする。
請求項２の発明は、エンボス加工手段を備え、原稿画像データを作成する手段と、作成した原稿画像データを表示する手段と、該表示原稿画像データからエンボス加工を施す画像データ箇所を選択する手段を備えた情報処理装置から送信される原稿画像データに基づき、選択した箇所にエンボス加工を施した画像を形成することを特徴とする。
請求項３の発明は、原稿画像データを入力する手段と、入力した原稿画像データの表示手段と、エンボス加工手段と、予めエンボス加工用に形成されたエンボス画像データを記憶する記憶手段と、前記記憶手段に記憶された前記エンボス画像データから選択したエンボス画像データと入力された原稿画像データから、選択した箇所にエンボス画像データを備えた印刷用画像データを作成する手段とを備え、前記作成した印刷用画像データに基づき、選択した箇所にエンボス加工を施した画像を形成することを特徴とする。
請求項４の発明は、エンボス加工手段を備え、原稿画像データを作成する手段と、作成した原稿画像データを表示すると手段と、予めエンボス加工用に形成されたエンボス画像データを記憶する記憶手段と、前記記憶手段に記憶された前記エンボス画像データから選択したエンボス画像データと入力された原稿画像データから、選択した箇所にエンボス画像データを備えた印刷画像データを作成する手段とを備えた情報処理装置から送信される前記印刷画像データに基づき、選択した箇所にエンボス加工を施した画像を形成することを特徴とする。
【発明の効果】
【０００７】
本発明によれば、原稿画像の好きなところにエンボス加工を施した印刷物を自由に得ることができる。また、表示画面から予めエンボス加工用に形成したエンボス画像データを原稿画像に挿入することができるため、好きなところにエンボス加工を施した装飾性に優れた印刷を簡単に行うことができる。
【発明を実施するための最良の形態】
【０００８】
以下に、本発明の実施形態を図１乃至図６を用いて説明する。
図１は、本実施形態の発明に係る画像形成装置としてのドラム式のカラー複写機の全体構成を示す図である。
同図に示すように、このカラー複写機は、感光体を形成する感光ドラム１が回転自在に取り付けられており、感光ドラム１の近傍には感光ドラム１の回転方向に対して上流側から、感光ドラム１の表面を帯電させる一次帯電器２、複写しようとする原稿から画像を取り込むための光学系３、全面露光を行うためのランプ４、感光ドラム１の表面にトナーを付着させる現像器５が順次配置されている。
【０００９】
現像器５は、イエロー現像器６、マゼンタ現像器７及びシアン現像器８を含み、この現像器５の下流側には、さらに感光ドラム１の表面にエンボスパウダーを付着させるエンボス現像器９、感光ドラム１の表面からトナー及びエンボスパウダーを用紙に転写する転写ドラム１０、クリーナー１１及び除電器１２が順次配置されている。
【００１０】
なお、光学系３は色分解フィルタ１３を有しており、転写ドラム１０の内部には転写帯電器１４が配置されている。また、転写ドラム１０の近傍には、用紙が収容された用紙カセット１５が配置されると共に用紙上のトナー及びエンボスパウダーを固着させる定着器１６が配置されている。
【００１１】
図２は、図１に示すエンボス現像器９の構造を拡大して示した図である。
同図に示すように、感光ドラム１の表面を臨むように開口した容器１７の上部にパウダー供給器１８が配置されており、容器１７内には混合ドラム１９が回転自在に設けられると共に開口部の近傍に回転シェル２０が回転自在に配設されている。回転シェル２０の内側には、回転シェル２０を挟んで容器１７の開口部に対向するようにマグネット２１が固設されている。また、回転シェル２０の外周面に近接してドクタープレード２２が設けられている。容器１７内には磁性体からなる所定量のキャリアが収容され、パウダー供給器１８にはエンボスパウダーが収容されている。
【００１２】
パウダー供給器１８からエンボスパウダーを容器１７内に供給しつつ混合ドラム１９を回転駆動させると、エンボスパウダーはキャリアとの摩擦帯電によりキャリアとは逆極性に帯電する。
【００１３】
図３は、図２に示す回転シェル２０と感光ドラム１間の構成を拡大して示した図である。
同図に示すように、マグネット２１からの磁気力により回転シェル２０の表面上にキャリア２３が連なって電磁ブラシ２４が形成され、このキャリア２３に逆極性に帯電したエンボスパウダー２５が付着する。このようにして形成された電磁ブラシ２４は回転シェル２０と共に回転して容器１７の開口部において感光ドラム１の表面に接触し、感光ドラム１に形成された電荷によりエンボスパウダー２５がキャリア２３から感光ドラム１の表面に移動して付着する。その後、電磁ブラシ２４はドクタープレード２２に当接して回転シェル２０の表面から離脱する。
【００１４】
なお、ここで、エンボス現像器９によりエンボスパウダー供給手段が構成されると共に混合ドラム１９により帯電装置が構成され、回転シェル２０及びマグネット２１によりマグネットローラが構成されている。また、感光ドラム１、転写ドラム１０及び転写帯電器１４により転写手段が、定着器１６により定着手段がそれぞれ構成されている。
【００１５】
次に、図４を参照して前記カラー複写機の動作について説明する。  
まず、ステップＳ１で１次帯電器２により感光ドラム１に静電荷を付与し、ステップＳ２で光学系３により原稿に対応した光像を色分解フィルタ１３を通して感光ドラム１の表面上に照射して青の色分解露光を与える。ステップＳ３でこの潜像をイエロー現像器６により現像してイエローのトナーを感光ドラム１に付着させる。用紙カセット１５から引き出した用紙を転写ドラム１０に巻き付け、ステップＳ４で転写帯電器１４により感光ドラム１上のイエローのトナー像を転写ドラム１０の用紙に転写する。その後、感光ドラム１の表面上に残留したトナーがクリーナー１１により除去され、さらに感光ドラム１上の残留電荷が除電器１２により消去される。
【００１６】
以下、同様にして、ステップＳ１で感光ドラム１に静電荷を付与し、ステップＳ５〜Ｓ７で緑の色分解露光によりマゼンタのトナー像を形成して位置合わせした用紙に転写する。さらに、ステップＳ１で感光ドラム１に静電荷を付与し、ステップＳ８〜Ｓ１０で赤の色分解露光によりシアンのトナー像を形成して位置合わせした用紙に転写する。
【００１７】
なお、イエロー現像器６、マゼンタ現像器７及びシアン現像器８におけるトナーの現像法としては、磁気ブラシ法やカスケード法の２成分現像方式の他、１成分現像方式等の各種の方法を採ることができる。
【００１８】
次に、再度、ステップＳ１で感光ドラム１に静電荷を付与し、ステップＳ１１でエンボス現像器９により感光ドラム１の選択された面上にエンボスパウダーの付着を行う。上述したように、エンボスパウダー２５はキャリア２３との摩擦帯電により帯電してキャリア２３に付着し、キャリア２３で形成された電磁ブラシ２４から感光ドラム１の表面に移動する。続くステップＳ１２では、ステップＳ４、ステップＳ７及びステップＳ１０において既に原稿の画像が転写されている用紙の表面の選択された面上に転写帯電器１４により感光ドラム１上のエンボスパウダーが転写される。その後、ステップＳ１３で転写ドラム１０上の用紙が定着器１６に搬送され、ここで用紙の表面上に転写されたトナー及びエンボスパウダーの定着が行われる。定着法としては、熱ローラ方式、圧力ローラ方式、ベルト加熱方式、フラッシュ方式等の各種の方法を採ることができる。
【００１９】
このようにして、用紙の表面上にカラー複写が行われると同時に用紙の選択された箇所にエンボス加工が施された複写物を得ることができる。
なお、図１のカラー複写機では、イエロー現像器６、マゼンタ現像器７及びシアン現像器８の３色の現像器を有していたが、これにブラック用の現像器を付加して４色によるカラー複写を行うこともできる。
【００２０】
本発明は、図１に示したようなドラム式のカラー複写機に限定されるものではなく、例えば図５に示されるようなベルト式のカラー複写機に適用することもできる。
図５において、転写ベルト３１に沿ってブラック用の感光ドラム３２、イエロー用の感光ドラム３３、マゼンタ用の感光ドラム３４及びシアン用の感光ドラム３５が配列されると共にエンボスパウダー用の感光ドラム３６が配置されている。これらの感光ドラム３２〜３６にそれぞれ近接してブラック現像器３７、イエロー現像器３８、マゼンタ現像器３９、シアン現像器４０及びエンボス現像器４１が配置されている。ここで、トナー用の感光ドラム３２〜３５により第１の感光体が形成され、エンボスパウダー用の感光ドラム３６により第２の感光体が形成される。
【００２１】
光学系４２により原稿に対応した光像が感光ドラム３２〜３５にそれぞれ照射され、ブラック現像器３７、イエロー現像器３８、マゼンタ現像器３９及びシアン現像器４０によってそれぞれ対応する感光ドラム３２〜３５にトナー現像が行われて転写ベルト３１上の用紙にブラック、イエロー、マゼンタ及びシアンのトナーが順次転写される。さらに、エンボス現像器４１により感光ドラム３６の選択された箇所にエンボスパウダーが付着され、既に原稿の画像が転写されている用紙の表面上に感光ドラム３６からエンボスパウダーが転写される。その後、定着器４３において用紙の表面上に転写されたトナー及びエンボスパウダーの定着が行われる。
【００２２】
本実施形態に係るカラー複写機では、３色又は４色のトナー像を用紙に転写すると共にその上にエンボスパウダーを転写した後に、トナーとエンボスパウダーとを一度に定着したが、トナーの定着を行った後にエンボスパウダーを転写して定着するようにしてもよい。この場合、エンボスパウダーとして紫外線硬化型の塗料を用い、用紙に転写されたエンボスパウダーに赤外線を照射するか熱ローラで加熱して溶融した後に、紫外線を照射して硬化させることにより定着することもできる。
【００２３】
次に、原稿画像の選択した箇所にエンボス加工を施した印刷を行うための手順ついて説明する。
前記のカラー複写機において、入力された原稿画像データ、例えばスキャナで読み取って入力した原稿画像データを表示手段（図示せず）に表示させ、その表示画面上で、通常のユーザインターフェースによる対話形の処理に従い、ペン操作や他の選択操作により表示画像データからエンボス加工したい箇所を選択してエンボス加工の開始を指示する。それによって、通常の複写後またはその前にエンボス現像器９、４１により感光ドラム１又は転写ベルト３１にエンボスパウダーが付着された後用紙に転写される。その手順は、既に説明したとおりである。
【００２４】
図６は、エンボス加工を行うための、転写機と情報処理装置、例えばパーソナルコンピュータからなる実施形態を概略的に示す図である。
ユーザーは、情報処理装置、例えばパーソナルコンピュータ５２で作成した印刷データを転写機５０で印刷する場合に、パーソナルコンピュータ５２の表示画面上に表示した印刷原稿データからエンボス加工箇所を選択して、そのソフトウエア（プリンタドライバ）により、接続した転写機５０に対してエンボス加工を指示する。これにより、通常の転写（印刷）実行後、又はその前にエンボス現像器９、４１によって感光ドラム１又は転写ベルト３１によってエンボスパウダーが付着されて用紙に転写される。その印刷処理は、既に説明した手順に従って行われる。
【００２５】
さらに、予めエンボス加工を施すことを前提とする定型文や文字やイラスト等からなるエンボス画像データを、エンボス加工手段を有するカラー複写機或いはパーソナルコンピュータの記憶手段に記憶させておき、前記出力表示手段やパーソナルコンピュータの出力表示手段５４に前記定型文や文字やイラスト等を表示して選択して、同時に表示した印刷データの所定の箇所に貼り付ける等することにより、エンボス画像データの位置情報付き原稿データを作成してカラー複写機又は転写機のエンボス現像器９、４１に通知する。
その通知により、通常の印刷（複写又は転写）実行後、又はその前にエンボス現像器９、４１によって感光ドラム１又は転写ベルト３１によってエンボスパウダーが付着されて用紙に転写される。この場合の印刷処理も既に説明した手順に従って行われる。
【００２６】
以上、画像形成装置の実施形態がカラー複写機又は転写機である場合について説明したが、本発明は、カラー複写機等に限定されるものではなく、白黒の複写機等にも適用可能である。また、以上の実施形態では、エンボス加工と複写又は印刷を同時に行うものについて説明したが、既に原稿が複写されている用紙や印刷済みの用紙等を用いて、画像形成装置ではエンボス加工のみを行うように設定することもできる。
【図面の簡単な説明】
【００２７】
【図１】本発明に係るドラム式のカラー複写機の全体構成を示す図である。
【図２】図１に示すエンボス現像器９の構造を拡大して示した図である。
【図３】図２に示す回転シェル２０と感光ドラム１間の構成を拡大して示した図である。
【図４】本発明に係るドラム式カラー複写機の動作を説明するための図である。
【図５】本発明に係るベルト式のカラー複写機の全体構成を示す図である。
【図６】エンボス加工処理を施すための転写機及びパーソナルコンピュータを概略的に示す図である。
【符号の説明】
【００２８】
１・・・感光ドラム、２・・・一次帯電器、３・・・光学系、４・・・ランプ、５・・・現像器、６・・・イエロー現像器、７・・・マゼンタ現像器、８・・・シアン現像器、９・・・エンボス現像器、１０・・・転写ドラム、１１・・・クリーナー、１２・・・除電器、１３・・・色分解フィルタ、１４・・・転写帯電器、１５・・・用紙カセット、１６・・・定着器、１７・・・容器、１８・・・パウダー供給器、１９・・・混合ドラム、２０・・・回転シェル、２１・・・マグネット、２２・・・ドクタープレード、２３・・・キャリア、２４・・・電磁ブラシ、２５・・・エンボスパウダー、３１・・・転写ベルト、３２，３３，３４，３５，３６・・・感光ドラム、３７・・・ブラック現像器、３８・・・イエロー現像器、３９・・・マゼンタ現像器、４０・・・シアン現像器、４１・・・エンボス現像器、４２・・・光学系、４３・・・定着器、５０・・・転写機、５２・・・パーソナルコンピュータ。
【図１】
2006259443.tif 000003
【図２】
2006259443.tif 000004
【図３】
2006259443.tif 000005
【図４】
2006259443.tif 000006
【図５】
2006259443.tif 000007
【図６】
2006259443.tif 000008